(57)【要約】【課題】数種類の異なる幾何学形状を成す分離可能な小片を備え、複雑なデジタル迷彩塗装を容易に可能とするデジタル迷彩マスキングテープを提供する。【解決手段】粘着層４を備えて剥離可能に台紙３に接着されるデジタル迷彩マスキングテープ１であって、単位要素５が１個以上組み合わされて形成され，複数種類の異なる幾何学形状を成して、台紙３への残留部から切れ込み７を有して分離される小片６を備え、小片６は、１列以上の配列を成している。【選択図】図１
0003174494.tif 000002
【実用新案登録請求の範囲】
【請求項１】
粘着層を備えて剥離可能に台紙に接着されるマスキングテープであって、
単位要素が１個以上組み合わされて形成され，複数種類の異なる幾何学形状を成して、台紙への残留部から切れ込みを有して分離される小片を備え、
前記小片は、１列以上の配列を成していることを特徴とするデジタル迷彩マスキングテープ。
【請求項２】
前記単位要素は、四角形状であることを特徴とする請求項１記載のデジタル迷彩マスキングテープ。
【請求項３】
前記単位要素は、複数種類の面積を備えた相似形であり、同一面積を有する前記単位要素同士が組み合わされ、複数種類のサイズの小片が形成されたことを特徴とする請求項１又は請求項２記載のデジタル迷彩マスキングテープ。
【請求項４】
前記複数種類のサイズの小片は、そのサイズ別に前記配列を成していることを特徴とする請求項３記載のデジタル迷彩マスキングテープ。
【請求項５】
表面は塗料に対して不透過性であることを特徴とする請求項１乃至請求項４のいずれか１項に記載のデジタル迷彩マスキングテープ。
【請求項６】
台紙よりも面積を小さく形成されることを特徴とする請求項１乃至請求項５のいずれか１項に記載のデジタル迷彩マスキングテープ。
【考案の詳細な説明】
【技術分野】
【０００１】
本考案は，粘着層を備えて剥離可能に接着されるマスキングテープに係り、特に、複数種類の異なる幾何学形状を成し，切れ込みを有して分離される小片を備えたことを特徴とするデジタル迷彩マスキングテープに関する。
【背景技術】
【０００２】
従来、模型等の玩具をデジタル迷彩塗装する際には、マスキングテープを微小なドット形状の複数の小片に切断し、それらを組み合わせながら所望する位置に接着してその上から塗料を塗布し、乾燥後小片を剥離することが行われていた。また、多色に迷彩塗装する場合には、小片の切断から塗料の塗布までの工程を繰り返すことが行われていた。
しかし、このような工程では、多数の小片を切断する手間がかかる上、所望する形状を形成しつつ正確な位置に小片を接着することは困難であるため、作業は非常に煩雑となっていた。しかも、その煩雑さにもかかわらず、出来栄えは満足するほどの良好なものではなかった。そこで、近年、迷彩塗装を容易に行うことができるシールについて様々な研究や開発が行われており、それに関して既に幾つかの発明や考案が開示されている。
【０００３】
例えば、特許文献１には、「接着剤付ビニールシート製モザイク素材」という名称で、マス目状の切れ目毎に剥ぎ取り可能なモザイク素材に関する考案が開示されている。
特許文献１に開示された考案は、色ビニールシートの裏面に接着剤及び台紙を付したモザイク素材であって、色ビニールシートの表面に小さい四辺形のマス目状の切れ目を形成して、それぞれの切れ目が容易に剥ぎ取り可能に構成されたことを特徴とする。
このような構造によれば、剥ぎ取り可能に切れ目が形成されているので、切断の手間を省くことができる。さらに、予め接着剤が付されているため、別途に接着材を塗布する必要がない。従って、熟練者でなくても手早く容易に美しいモザイク模様の作品を制作することができる。
【０００４】
また、特許文献２には、「貼り絵用シールセット」という名称で、異なる色からなる貼り絵用シールセットに関する考案が開示されている。
特許文献２に開示された考案は、複数の幾何学形状のシールを有し、この複数のシールはそれぞれ異なる色からなることを特徴とする。
このような構造の貼り絵用シールセットにおいては、複数の色、複数の幾何学形状を有するので、美しいパターンを容易に描くことができ、貼り絵を制作する時にシールの貼着作業が極めて簡単となる。
【先行技術文献】
【特許文献】
【０００５】
【特許文献１】実全昭５２−１１００６１号公報
【特許文献２】実登第３１２６４３９号公報
【考案の概要】
【考案が解決しようとする課題】
【０００６】
特許文献１に開示された考案においては、切断や接着剤の塗布の手間は、省略されているものの、一つ一つの切れ目をそれぞれ組み合わせて目的の位置に貼付するという煩雑な作業を依然として行う必要がある。従って、必ずしも手早く容易に作品を制作できるとは言えない。
【０００７】
また、特許文献２に開示された考案においては、幾何学形状は円形、星形、四角形といった単純な形状であるため、迷彩塗装のような複雑な模様を形成するには、やはりこれらのシールを組み合わせて貼付する必要がある。従って、特許文献１に開示された考案と同様に、作業の煩雑性という課題を残しており、シールの貼着作業が極めて簡単とは言えない可能性がある。
【０００８】
本考案は、このような従来の事情に対処してなされたものであり、粘着層を有し，数種類の異なる幾何学形状を成す分離可能な小片を備え、複雑なデジタル迷彩塗装を容易に可能とするデジタル迷彩マスキングテープを提供することを目的とする。
【課題を解決するための手段】
【０００９】
上記目的を達成するため、請求項１記載の考案に係るデジタル迷彩マスキングテープにおいては、粘着層を備えて剥離可能に台紙に接着されるマスキングテープであって、単位要素が１個以上組み合わされて形成され，複数種類の異なる幾何学形状を成して、台紙への残留部から切れ込みを有して分離される小片を備え、小片は、１列以上の配列を成していることを特徴とする。
このような構造のデジタル迷彩マスキングテープにおいては、１個以上の単位要素の各辺を互いに平行又は垂直とする以外、その組み合わせの個数や配置等は制限されない。また、単位要素が組み合わされた小片は複数形成され、それらの大きさや形状に応じて台紙の範囲内に規則的に配列される。なお、各列内における小片の形状は、互いに同一、又は非同一のいずれでも良い。また、切れ込みは小片の幾何学形状の外周に一致して設けられている。
【００１０】
このような構造のデジタル迷彩マスキングテープによれば、単位要素の組み合わせの個数等は制限されないことから、幾何学形状は様々な形状及び面積となる。よって、正方形、長方形、モザイク状の不定形状等の小片が形成される。また、小片は、台紙への残留部から切れ込みを有して分離されるため、小片を剥離する際に台紙に粘着したままの部分が小片周囲に残存し、複数の小片同士が互いに独立して台紙から剥離されるという作用を有する。これらの小片は粘着層を備えることから、その後、例えば模型等の表面へ直ちに接着される。なお、粘着層には、プラスチック、金属、木材等の固く滑らかな面に対し、接着後においても剥離容易な接着剤が塗布されている。
【００１１】
また、請求項２記載の考案は、請求項１記載のデジタル迷彩マスキングテープにおいて、単位要素は、四角形状であることを特徴とする。
単位要素における四角形状とは、辺の縦横比や面積に特に制限のない正方形又は長方形のものを指す。
このような構造のデジタル迷彩マスキングテープによれば、所望する塗装の模様や貼付対象物の表面積（以下、模様等という）に適応可能な小片が自在に形成されるという作用を有する。
【００１２】
請求項３記載の考案は、請求項１又は請求項２記載のデジタル迷彩マスキングテープにおいて、単位要素は、複数種類の面積を備えた相似形であり、同一面積を有する単位要素同士が組み合わされ、複数種類のサイズの小片が形成されたことを特徴とする。
このような構造のデジタル迷彩マスキングテープにおいては、単位要素は複数種類の面積を備えた相似形であることから、複数種類のサイズの小片は互いに相似形となる場合がある。また、各サイズの小片には複数の小片が配置され、その配列は、特に制限されていない。さらに、これら複数の小片は、互いに同一形状の場合がある。
このようなデジタル迷彩マスキングテープによれば、複数種類のサイズの小片が形成されることから、模様等に最も適したサイズの小片が選択されるという作用を有する。
【００１３】
請求項４記載の考案は、請求項３記載のデジタル迷彩マスキングテープにおいて、複数種類のサイズの小片は、そのサイズ別に配列を成していることを特徴とする。
このような構造のデジタル迷彩マスキングテープにおいて、「小片は、サイズ別に配列を成している」とは、小片が、例えばＳサイズ，Ｍサイズ，Ｌサイズといったように段階的にその形状を変化させ、サイズ毎に仕分けられて配列した状態をいう。なお、一枚の台紙上に形成される配列は１列以上であり、複数列の場合では、各列のサイズの組み合わせは特に制限されない。
このようなデジタル迷彩マスキングテープによれば、所望するサイズの小片が速やかに識別されるという作用を有する。
【００１４】
請求項５記載の考案は、請求項１乃至請求項４のいずれか１項に記載のデジタル迷彩マスキングテープにおいて、表面は塗料に対して不透過性であることを特徴とする。
このような構造のデジタル迷彩マスキングテープによれば、塗料が表面から浸透しないことから、このマスキングテープの表面における塗装（以下、表面塗装という）と下地面における塗装（以下、下地塗装という）同士が混合しないという作用を有する。従って、マスキングテープを剥離した際に、表面塗装と下地塗装とは明確なコントラストを有し、貼付したマスキングテープ通りの模様を形成するという作用を有する。
【００１５】
請求項６記載の考案は、請求項１乃至請求項５のいずれか１項に記載のデジタル迷彩マスキングテープにおいて、台紙よりも面積を小さく形成されることを特徴とする。
このような構造のデジタル迷彩マスキングテープによれば、台紙が把持部となることで小片が容易に剥離されるという作用を有する。
【考案の効果】
【００１６】
以上説明したように、本考案の請求項１記載のデジタル迷彩マスキングテープによれば、様々な面積及び形状の小片が形成されることから、多様なデジタル迷彩塗装を行うことができる。しかも、これらの小片は、外周囲に切れ込みが設けられ、予め幾何学形状を成していることから、各小片の切断が不要である上に複雑な形状とするために複数の小片を組み合わせ、さらに正確に貼付するといった面倒な作業が一切不要である。
また、複数の小片同士は互いに独立しているため、剥離した小片同士の粘着層が付着し合って使用不可能となることがなく、無駄が発生しない。この一方で、粘着層に塗布された接着剤は、プラスチック材等に対して容易に剥離可能であることから、強粘着性のために小片が剥がれ難いといった不具合が発生しない。従って、作業者は何らストレスを感じることなく、所望した通りの美しい塗装作品を素早く容易に制作することができる。
【００１７】
本考案の請求項２記載のデジタル迷彩マスキングテープによれば、請求項１記載の考案の効果に加えて、模様等に適応可能な小片が自在に形成されることから、貼付する模型等の大きさやパーツに関わらず、いずれの位置に対しても貼付することができる。また、小片の形状が多様であるため、複雑な迷彩塗装が可能となる。
【００１８】
本考案の請求項３記載のデジタル迷彩マスキングテープによれば、請求項１又は請求項２に記載の考案の効果に加えて、複数種類のサイズの小片は互いに相似形又は同一形状となる場合があるため、例えば、ロボット模型といった玩具において左右対称の迷彩塗装としたい場合には、相似形等の小片を対称的に貼付すれば良いことから、容易にこのような塗装を完成することができる。また、相似形等であれば、より容易に製造することができ、生産コスト削減となる。
さらに、模様等に最も適したサイズの小片が選択されることから、より精緻な迷彩塗装が可能となる。
【００１９】
本考案の請求項４記載のデジタル迷彩マスキングテープによれば、請求項３に記載の考案の効果に加えて、各列のサイズの組み合わせは特に制限されないことから、多種類の組み合わせを有するマスキングテープを製造することができる。また、需要者は、多種類のマスキングテープのうちから配列毎のサイズを速やかに識別することができる。さらに、必要な配列が組み合わされたものを選択して購入することができるので、非常に便利である。
【００２０】
本考案の請求項５記載のデジタル迷彩マスキングテープによれば請求項１乃至請求項４のいずれか１項に記載の考案の効果に加えて、貼付したマスキングテープ通りの模様を形成することから、滲み等の塗装の失敗がなく、確実に美しい塗装を形成することができる。
【００２１】
本考案の請求項６記載の手帳においては、請求項１乃至請求項５のいずれか１項に記載の考案の効果に加えて、台紙が把持部となることから、台紙以外の部分に指等を接触させずに目的の小片を剥離することができる。よって、目的以外の小片が剥離したり、またこの小片が他の小片に粘着したりするおそれがないという効果を有する。
【図面の簡単な説明】
【００２２】
【図１】（ａ）は実施例１に係るデジタル迷彩マスキングテープの実施例の平面図であり、（ｂ）は図１（ａ）におけるＡ−Ａ線矢視断面図である。
【図２】は、実施例１に係るデジタル迷彩マスキングテープを使用した作品例である。
【図３】は、実施例２に係るデジタル迷彩マスキングテープの実施例の平面図である。
【考案を実施するための形態】
【実施例１】
【００２３】
本考案の実施の形態に係る実施例１のデジタル迷彩マスキングテープの実施例について、図１及び図２を用いて詳細に説明する（主に、請求項１、請求項２、請求項５及び請求項６に対応）。
図１（ａ）は実施例１に係るデジタル迷彩マスキングテープの実施例の平面図であり、（ｂ）は図１（ａ）におけるＡ−Ａ線矢視断面図である。図２は、実施例１に係るデジタル迷彩マスキングテープを使用した作品例である。
【００２４】
図１（ａ）及び図１（ｂ）に示すように、本実施例のデジタル迷彩マスキングテープ１は、テープ基材２の裏面と台紙３の表面との間に一様な粘着層４を備え、一体的に形成されている。このテープ基材２及び粘着層４は、台紙３よりも面積を小さく形成され、台紙３から剥離可能である。また、テープ基材２及び台紙３の材質はいずれもプラスチック又は紙であり、粘着層４は接着剤により形成される。なお、図１（ａ）においては、デジタル迷彩マスキングテープ１の一方の端部のみが示されているが、デジタル迷彩マスキングテープ１の全体形状は長細い長方形であり、これと反対の端部に至るまでも同様の構造を成し、複数の単位要素５及び小片６が配列されている。
なお、テープ基材２の表面は、塗料に対して不透過性であり、塗料をはじくような処理、又は塗料が浸透しないような処理が施されている。また、粘着層４の接着剤は、接着後に刷毛等がテープ基材２の表面に接触した場合でも、小片６の一部又は全体が剥離をすることがない程度の粘着性を有している。一方で、この接着剤は、プラスチック、金属、木材等の固く滑らかな面に対しては、接着後においても剥離容易な粘着性を有している。
【００２５】
図１（ａ）に示すように、テープ基材２には最小単位である単位要素５及び複数の単位要素５を組み合わせた形状の小片６が配列されている。単位要素５は略正方形であって、各辺が互いに平行又は垂直となるように組み合わされて小片６が形成される。この組み合わせの個数や配置等は特に規則性を有するものではないため、様々な幾何学的形状を成す複数の小片６が形成される。これらの幾何学的形状は、正方形、長方形又は多角を有する不定形状であり、互いに同一又は相似形状の場合がある。また、小片６及び単位要素５（以下、小片６等という）は、その外周に一致して切れ込み７が設けられ、小片６等をこの切れ込み７に沿って台紙３から剥離した際に、切れ込み７の外側のテープ基材２及び粘着層４が台紙３に粘着したまま残留する構造となっている。
【００２６】
このような構造のデジタル迷彩マスキングテープ１においては、小片６等の外周に切れ込み７が設けられていることから、切れ込み７の周囲を押さえておくことで目的とする小片６等のみが台紙３から剥離されるという作用を有する。また、テープ基材２及び粘着層４は、台紙３よりも面積を小さく形成されることから、台紙３の外周端部分を把持すれば、目的の小片６等が台紙３からより容易に剥離される。
そして、小片６等は、粘着層４を備えることから、別途接着剤を塗布することなく、塗装対象である模型等の表面へ直ちに接着される。その際、小片６は様々な幾何学的形状を成しているため、所望する模様等となるよう任意の位置へ接着される。なお、模型等はプラスチック等の材質で形成されている場合が多く、下地として予め塗料が塗布されている場合には、この塗料が乾燥していることが望ましい。
次に、接着した小片６等及び模型等を共に被覆するように、重ねて塗料を塗布する場合においては、テープ基材２の表面が塗料に対し不透過性であるので、新たに塗布した塗料が小片６等を浸透せず、下地の塗料と混合しないという作用を有する。さらに粘着層４は小片６等が剥離をすることがない程度の粘着性を有していることから、塗装時に刷毛等で接触又はスプレーを吹き付けても小片６等の飛散や他の位置への再付着が起こらない。これらのことから、模型等の表面には、接着した小片６等と同一形状のデジタル迷彩の模様が形成される。
そして、新たに塗布した塗料の乾燥後に小片６等を剥離する場合においては、粘着層４がプラスチック等の固く滑らかな面に対し剥離容易な粘着性を有しているため、剥離困難となったり下地の塗料が同時に剥離したりすることがなく、速やかに小片６等が除去されるという作用を有する。なお、粘着層４も小片６等と一体的に剥離され、模型等の表面に接着剤が残留しない。
【００２７】
続いて、このような作用を有するデジタル迷彩マスキングテープ１を用いて製作した作品を、例を挙げて説明する。
図２に示す作品は、ロボット模型８に対しデジタル迷彩の模様が形成された（図中の斜線部分）完成品である。
この作品の制作手順は以下のようである。まず、ロボット模型８の表面に対し、前述したように予め下地塗装９を施す。そして、乾燥させた下地塗装９の上から様々な形状の小片６等を任意の位置に接着し、下地塗装９とは異なる色彩の表面塗装１０を小片６等及びロボット模型８に塗布して乾燥させる。その後、小片６等を剥離して完成させた。以上の手順により、小片６等が接着されていた部分が明確なデジタル迷彩の模様として識別されることとなる。なお、小片６等を貼付可能である限り、ロボット模型８の平面・曲面、又は細長い溝部に対してもデジタル迷彩の模様が形成される。
【００２８】
本実施例のデジタル迷彩マスキングテープ１によれば、図２に示すような多様なデジタル迷彩の模様を完成させることができる。完成に至るまでに、複数の小片６等を一つずつ切断し、接着剤を塗布し、組み合わせ、さらに正確に貼付するといった煩雑な作業はすべて行う必要がないため、初心者・熟練者を問わず、美しいデジタル迷彩の作品を制作することができる。また、小片６の形状が複雑な幾何学形状であることから、複雑かつ精緻なデジタル迷彩塗装が容易に制作可能であり、この点が従来技術に比較して特に優れた効果を発揮するものである。
そして、小片６等が塗料に対し不透過性であることから、下地塗装９の周辺や内部に表面塗装１０の滲みが発生せず、下地塗装９のみを鮮やかに浮き上がらせることができる。
【００２９】
さらに、小片６等を台紙３から剥離する際に、目的のもののみを容易に剥離することができるため、目的以外の小片６等が不意に剥離されて他の物に粘着するといった無駄が発生しない。さらに台紙３の外周部分を把持することで、目的以外の小片６等に接触することが回避され、これらが汚されて使用不可となるといった事態を防止することができる。
また、粘着層４に塗布された接着剤は、プラスチック材等に対して粘着・剥離容易という適度な粘着性を有していることから、下地塗装９がずれて二重の迷彩模様となることや、小片６等の一部や接着剤が模型等の表面に粘着したままとなるといった不具合が発生しない。従って、作業者はこのようなトラブルに見舞われることなく所望した通りの作品を速やかに制作することができる。
【００３０】
なお、本考案のデジタル迷彩マスキングテープは本実施例に示す構造に限定されない。例えば、デジタル迷彩マスキングテープ１は細長い長方形以外の形状であっても良い。また、複数の小片６等の配列は、図１に示したもののみに限られず、その間隔に広狭があっても良い。さらに、小片６等のうち互いに同一又は相似形状であるものの種類も、図１に示したもののみに限られない。
この他、図２においては下地塗装９及び表面塗装１０をそれぞれ１種類の色彩としたが、前述した下地塗装９から小片６等を剥離するまでの手順を多色を使用して繰り返すことで、色彩豊かなデジタル迷彩塗装を形成することも可能である。
【実施例２】
【００３１】
本発明の実施の形態に係る実施例２のデジタル迷彩マスキングテープについて、図３を用いて詳細に説明する（主に、請求項３及び請求項４に対応）。なお、図１で示した構成要素については図３においても同一の符号を付して、その説明を省略する。
図３は、実施例２に係るデジタル迷彩マスキングテープの実施例の平面図である。
【００３２】
図３に示すように、本実施例のデジタル迷彩マスキングテープ１ａは、１枚の台紙３に、複数種類のサイズの小片が形成され、そのサイズ別に配列を成している。すなわち、Ｓサイズマスキングテープ１ｓと、Ｍサイズマスキングテープ１ｍ、Ｌサイズマスキングテープ１ｌの３列のマスキングテープが並列に設けられている。このうちＳサイズマスキングテープ１ｓは、略正方形の単位要素５ｓ及びこれら同士が組み合わされて幾何学形状の小片６ｓが形成されている。また、Ｍサイズマスキングテープ１ｍ、Ｌサイズマスキングテープ１ｌにおいても、それぞれ略正方形の単位要素５ｍ，５ｌ及びこれら同士が組み合わされ、幾何学形状の小片６ｍ，６ｌが形成されている。また、単位要素５ｓ，５ｍ，５ｌは、段階的に面積が増加して互いに相似形状を成している。従って、小片６ｓ，６ｍ，６ｌもまた、互いに相似形状を成す場合がある。ただし、すべての小片６ｓ，６ｍ，６ｌが共通する相似形状を成しているとは限らない。また、各列の列数や、各列のサイズの組み合わせは特に制限されない。
この他の構造は、実施例１に係るデジタル迷彩マスキングテープ１と同様である。
【００３３】
このような構造のデジタル迷彩マスキングテープ１ａにおいては、Ｓ、Ｍ、Ｌサイズの単位要素５ｓ，５ｍ，５ｌ及び小片６ｓ，６ｍ，６ｌが形成されることから、模様等に最も適したサイズの小片が自在に選択される。すなわち、１種類のサイズのみならず、複数種類のサイズの小片６ｓ，６ｍ，６ｌ等が一つの模型等の表面に接着される。従って、サイズが１種類の場合よりも小片６ｓ，６ｍ，６ｌ等の形状が多岐に亘っているため、非常に複雑なデジタル迷彩の模様が形成される。また、サイズ別に配列が形成されていることから、１枚の台紙３により多くの小片が形成されているにも関わらず、所望するサイズの小片が容易に識別され、剥離されるという作用を有する。
この他、実施例１に係るデジタル迷彩マスキングテープ１と同様の作用を有する。
【００３４】
本実施例のデジタル迷彩マスキングテープ１ａによれば、小片６ｓ，６ｍ，６ｌ等の形状が多岐に亘っていることから、小片６ｓ，６ｍ，６ｌ等の接着位置等を変化させる等、熟練者であってもこのような工夫の過程を楽しむことができるとともに、満足できる出来栄えの作品を制作可能である。しかも、このような工夫を行っても、完成までの手順は実施例１と同様に煩雑な作業を行う必要がないことから、面倒な手間を省きながらもより細かなデジタル迷彩の模様を完成させることができる。
さらに、各列のサイズの組み合わせは特に制限されないことから、需要の多い組み合わせを選択して１枚のデジタル迷彩マスキングテープを製造することができる。また、この組み合わせは容易に変更可能であるため、様々なサイズの配列が組み合わせられた多種類のマスキングテープを製造することが可能であるとともに、需要の変化に対し速やかに対応することができる。従って、需要者は、最も使用頻度の高いサイズの配列を選択して経済的に購入することができることから、特に年少の需要者に好適となる。
この他、実施例１に係るデジタル迷彩マスキングテープ１と同様の効果を有する。
【００３５】
なお、本考案のデジタル迷彩マスキングテープは本実施例に示す構造に限定されない。例えば、単位要素５ｓ，５ｍ，５ｌの面積比は、図３に示されるものに限られない。また、１枚の台紙３に、Ｓ，Ｓ，Ｍサイズ、又はＭ，Ｌサイズの配列が形成されても良い。さらに、単位要素がより小さいＳＳサイズやより大きいＬＬサイズの配列が形成されていても良い。
【産業上の利用可能性】
【００３６】
請求項１乃至請求項６に記載された考案は、模型等の玩具を塗装するためのデジタル迷彩マスキングテープとして適用可能である。
【符号の説明】
【００３７】
１，１ａ…デジタル迷彩マスキングテープ  １ｓ…Ｓサイズマスキングテープ  １ｍ…Ｍサイズマスキングテープ  １ｌ…Ｌサイズマスキングテープ  ２…テープ基材  ３…台紙  ４…粘着層  ５，５ｓ，５ｍ，５ｌ…単位要素  ６，６ｓ，６ｍ，６ｌ…小片  ７…切れ込み  ８…ロボット模型  ９…下地塗装  １０…表面塗装
【図１】
0003174494.tif 000003
【図２】
0003174494.tif 000004
【図３】
0003174494.tif 000005